(57)【特許請求の範囲】
【請求項１】
導水孔を有する本体と、該本体から導水孔の放水方向に延出しているフレーム、導水孔の放水方向に対向して設置された板状のデフレクターを有しており、導水孔が水平向きで配管に接続されるサイドウォール型スプリンクラーヘッドにおいて、デフレクターの上部には先端がデフレクター側に傾斜しておりフレームに固定されている補助デフレクターが、デフレクターから離間して設置されているとともに、デフレクターの上部には凹みが形成され該凹みはデフレクターの中心に向かって凹状に切欠かれていることを特徴とするサイドウォール型スプリンクラーヘッド。
【請求項２】
前記凹みは、逆円弧形であることを特徴とする請求項１記載のサイドウォール型スプリンクラーヘッド。
【請求項３】
前記凹みは、逆二等辺三角形であることを特徴とする請求項１記載のサイドウォール型スプリンクラーヘッド。
【発明の詳細な説明】
【０００１】
【発明の属する技術分野】
本発明は、火災発生時に水を散布して消火を行うスプリンクラーヘッド、特に壁面や壁際に横向きにして取り付けるサイドウォール型スプリンクラーヘッドに関する。
【０００２】
【従来の技術】
スプリンクラーヘッドとは、火災が発生したときに水を散布して消火を行うものである。一般にスプリンクラーヘッドは、天井面に垂直に取り付け、上方から火元に向けて水を散布するようになっている。しかしながら、天井からシャンデリアのような照明器具を吊した場合は照明器具がスプリンクラーヘッドからの散水の邪魔になり、またルーバーのような装飾天井にした場合はスプリンクラーヘッドや配管が見えるためインテリアデザイン的に好ましい状態にならないという問題が生じる。このような場合には、スプリンクラーヘッドを部屋の壁面や壁際に取り付けることが行われている。壁面や壁際に取り付けるスプリンクラーヘッドをサイドウォール型スプリンクラーヘッド（Side Wall Type Sprinkler Head ：ＳＷスプリンクラーヘッド）と言い、火災発生時には火元とならない天井方向へは水を散布せず、部屋の中程の火元に向けて水を散布できるようになっている。
【０００３】
ＳＷスプリンクラーヘッドとしては、部屋の壁に近い天井面や壁際に垂直に取り付けるもの（垂直取り付け用ＳＷスプリンクラーヘッド）と、部屋の壁面や壁際に水平に取り付けるもの（水平取り付け用ＳＷスプリンクラーヘッド）とがある。
【０００４】
ところで部屋の天井に天井板が張られていなかったり、天井と階上の床面との間隔が狭くて消火用配管が敷設できなかったりするような場合には、下向き型の垂直取り付け用ＳＷスプリンクラーヘッドは天井に取り付けることができない。なぜならば、下向き型の垂直取り付け用ＳＷスプリンクラーヘッドは天井内の配管に螺合することにより、取り付けるようになっているからである。
【０００５】
またこの垂直取り付け用ＳＷスプリンクラーヘッドでも上向きのものを壁から少し離して壁際に取り付けようとする場合、壁面から水平方向に突出した配管をエルボーのような継ぎ手で立ち上がらせなければならないため、取り付け作業に手間や余分な費用がかかるようになる。それ故、壁面や壁際に取り付けるＳＷスプリンクラーヘッドとしては壁内の配管に横向けにして直接取り付ける水平取り付け用ＳＷスプリンクラーヘッドが適している。
【０００６】
垂直取り付け用ＳＷスプリンクラーヘッドは特開昭６４−５５７０号、実開昭５２−１０６０００号、実開昭５５−３０１７５号のように多数提案されているが、水平取り付け用ＳＷスプリンクラーヘッドとしては実開平５−２４０５８号に提案されているだけであった。この水平取り付け用ＳＷスプリンクラーヘッドは、スプリンクラーヘッドに長いひさしを設置したものである。
【０００７】
【発明が解決しようとする課題】
実開平５−２４０５８号で提案された水平取り付け用ＳＷスプリンクラーヘッドは、従来のスプリンクラーヘッドにひさしを設置するだけであるため製造が容易で、しかも安価であり、また天井方向への不必要な散布がなく、部屋の中程へ適当に散布されるものである。しかしながら、ひさしを設置しただけのＳＷスプリンクラーヘッドは、日本の消防法の規格に適合しないものであった。日本の消防法ではＳＷスプリンクラーヘッドは、その取り付け部から床面に対して３．６ｍ×３．６ｍの散布域に均一に散布されなければならないことになっているが、ひさしを設置しただけのＳＷスプリンクラーヘッドでは、図７に示すように両側に必要以上遠くに散布される部分（Ｙ）ができるばかりでなく、両側には未散布域（Ｚ）ができ、しかも前方にも必要以上遠くに散布される部分（Ｘ）ができ、しかもてしまうものであった。本発明は、水平取り付け用ＳＷスプリンクラーヘッドにおいて、所定の散布域に均一に散布できるＳＷスプリンクラーヘッドを提供することにある。
【０００８】
【課題を解決するための手段】
本発明者が、従来の水平取り付け用ＳＷスプリンクラーヘッドにおいて前方に必要以上遠くに散布される原因について鋭意研究を重ねた結果、その原因はデフレクターの形状にあることを突き止め、デフレクターの形状を改良すれば消防法に適合するＳＷスプリンクラーヘッドが得られることに着目して本発明を完成させた。
【０００９】
本発明は、導水孔を有する本体と、該本体から導水孔の放水方向に延出しているフレーム、導水孔の放水方向に対向して設置された板状のデフレクターを有しており、導水孔が水平向きで配管に接続されるサイドウォール型スプリンクラーヘッドにおいて、デフレクターの上部には先端がデフレクター側に傾斜しておりフレームに固定されている補助デフレクターが、デフレクターから離間して設置されているとともに、デフレクターの上部には凹みが形成され該凹みはデフレクターの中心に向かって凹状に切欠かれていることを特徴とするサイドウォール型スプリンクラーヘッドである。
【００１０】
【発明の実施の形態】
本発明でデフレクターの上部に形成する凹みは、逆円弧形や逆二等辺三角形のように中央が深く下方に凹んだ形状である。
【００１１】
本発明のＳＷスプリンクラーヘッドでは、デフレクターの上部に凹みを形成するとともに、補助デフレクターを下方に傾斜させたり、デフレクターの両側対象位置に横向きの羽根を形成して、該羽根の一部を導水孔方向に傾斜させたりすると散布状態をさらに良好にすることもできる。
【００１２】
本発明のＳＷスプリンクラーヘッドは、デフレクターが板状のもの、例えば平時に板状デフレクターが本体内に収納されており、火災発生時に飛び出てきて一定距離で停止するフラッシュ型スプリンクラーヘッドや、本体の両側から馬蹄形のフレームヨークが突出していて、その先端に板状のデフレクターが設置されたフレームヨーク型スプリンクラーヘッド等である。またこれらのスプリンクラーヘッドは平時、弁座を弁体が閉塞していて、該弁体を感熱分解部分で保持している閉鎖型スプリンクラーヘッド、或は弁座を弁体が閉塞してなく他の熱感知装置で感知した信号で一斉開放弁が開放することにより水を散布する開放型スプリンクラーヘッド等である。
【００１３】
【実施例】
以下図面に基づいて本発明のＳＷスプリンクラーヘッドを説明する。図１は本発明を適用させたフラッシュ型スプリンクラーヘッドの作動後の斜視図、図２は本発明を適用させたフラッシュ型スプリンクラーヘッドを壁面に取り付けた状態の側面断面図、図３はフラッシュ型スプリンクラーヘッドのデフレクターの拡大斜視図、図４は本発明を適用させたフレームヨーク型スプリンクラーヘッドを壁面に取り付けた状態の側面断面図、図５はフレームヨーク型スプリンクラーヘッドのデフレクターの斜視図である。
【００１４】
先ず図１、２に示すフラッシュ型スプリンクラーヘッドについて説明する。フラッシュ型スプリンクラーヘッドは、本体１、フレーム２、弁体３、デフレクター４、補助デフレクター５、感熱分解部分６、等から構成されている。
【００１５】
本体１は中央に導水孔７が穿設されており、端部は弁座８となっている。また本体１の外周には牡ネジ９が螺設され、端部はフランジ１０となっている。
【００１６】
フレーム２は円筒状であり、一端は内側フランジ１１となっていて、他端は前述本体１のフランジ１０に螺合している。
【００１７】
弁体３は円盤状で一側にパッキンが被着されており、平時、本体１の弁座８を水密状態に閉塞している。
【００１８】
デフレクター４は、図３に示すように円形の板状であり、上部には中央が深くなった凹み１２が形成されている。ここで採用するデフレクターの凹みは、上部が逆円弧形のものである。またデフレクター４の両側には横方に複数のスリット１３・・・が形成されており、該スリットで形成された部分が羽根１４・・・となっている。羽根１４の一部は導水孔方向に少し傾斜した状態で屈曲している。デフレクター４はリング１５に固定された二本の支柱１６、１６で吊設されるようになっている。
【００１９】
またデフレクター４の上方位置には補助デフレクター５が離間して設置されている。補助デフレクター５は矩形板を水平方向に対して約４度の角度に下方に傾斜させたもので、立ち上がり部をフレーム２のフランジ１１に固定してある。従って、補助デフレクター５とデフレクター４の凹み１２間は、図１に示すように凹み１２の両側が少し狭く、中央に向かうに従って徐々に広くなっている。ちなみに実開平５−２４０５８号のＳＷスプリンクラーヘッドは、ひさしとデフレクター間が等間隔となっている。
【００２０】
感熱分解部分６は、フレーム２から出た部分に配設されており、ガイドポスト１７を介して弁体３を保持している。感熱分解部分については周知（特公昭５８−３６９８５号）であるため、ここでは詳細な説明は省略する。
【００２１】
上記フラッシュ型スプリンクラーヘッドは、図２に示すように、部屋の壁１８に穴１９をあけ、該穴を通して壁内の配管２０に横向きにして取り付ける。壁１８の穴１９はフラッシュ型スプリンクラーヘッドよりも少し大きめにあけてあり、穴の周囲から壁内が見えたり、穴から風が出入りしたりするのを防ぐため、シーリングプレート２１で穴を覆い隠す。
【００２２】
次に本発明を適用したフラッシュ型スプリンクラーヘッドにおける火災発生時の作動について説明する。
【００２３】
火災が発生すると、火災の異常高温で感熱分解部分６が分解して感熱分解部分を構成する全ての部品が横方（図２の右方）に飛ばされる。すると感熱分解部分６で保持されていたデフレクター４も横方に移動する。デフレクター４の移動に伴いデフレクター４を支柱で吊設するリング１５もフレーム３の内壁面に沿って移動し、フレーム２の内方フランジ１１で移動が停止される。このときデフレクターと一体となった弁体３も移動するため、弁座８が開放される。
【００２４】
弁座８の開放で水が導水孔７から噴出し、デフレクター４に当たって分散される。このとき横方や下方への散布はデフレクター４に形成された複数の切り欠き１３・・・と羽根１４・・・によって所定巾に散布される。そして取り付け位置から前方の散布域に対しては、補助デフレクター５とデフレクター４の凹み１２によって制御される。つまり補助デフレクターとデフレクター間の間隔が従来の水平取り付け用ＳＷスプリンクラーヘッドのように一定であると、中央部が所定の散布域を越えて散布され、しかも前方の両側の散布域に散布されない未散布部分ができてしまう。この原因は、円形の補助デフレクターに沿って飛散した水が円形のまま散布されるため円の頂部が遠方散布になると考えられる。ところが本発明のようにデフレクターの上方に補助デフレクターを設置するとともに、デフレクターの上部に中央部が深くなった凹みを形成しておくと、この深くなった部分を通過する水の量が多くなるため必要以上に遠方へ飛散しなくなるものである。
【００２５】
次にフレームヨーク型スプリンクラーヘッドに本発明を適用したＳＷスプリンクラーヘッドについて説明する。
【００２６】
フレームヨーク型スプリンクラーヘッドは、本体３１、フレームヨーク３２、弁体３３、デフレクター３４、補助デフレクター３５、感熱分解部分３６、等から構成されている。
【００２７】
本体３１は、中央に導水孔３７が穿設されており、他端は弁座３８となっている。また本体３１の外側には牡ネジ３９が螺設されている。
【００２８】
フレームヨーク３２は、弁座３８の近傍から馬蹄形状に突出しており、その先端はボス４０となっている。
【００２９】
弁体３３は、円盤状で一側にパッキンが被着されており、平時、本体３１の弁座３８を水密状態で閉塞している。
【００３０】
デフレクター３４は、図５に示すように矩形の板状であり、ボス４０の先端に固定されている。デフレクター３４の上部には中央が深くなった凹み４１が形成されている。図５に示すデフレクターは上部が逆二等辺三角形の凹みとなっている。またデフレクター３４の両側には複数の切り欠き４２が刻設され、該切り欠きにより複数の羽根４３が横向きに形成されている。羽根４３の一部は、導水孔方向に略１５度傾斜した状態で屈曲している。
【００３１】
デフレクター３４の上方位置には補助デフレクター３５離間して設置されている。補助デフレクター３５は、矩形板を水平方向に約４度下方に傾斜させたもので、立ち上がり部を本体３１の端部に固定してある。
【００３２】
感熱分解部分は、弁体３２とボス４０間に設置されており、平時は弁体３３を押圧している。このフレームヨーク型スプリンクラーヘッドに使用する感熱分解部分の構造については周知（実公昭４２−１６５５３号）であるため、ここでは詳細な説明は省略する。
【００３３】
次いで本発明を適用したフレームヨーク型スプリンクラーヘッドにおける火災発生時の作動について説明する。
【００３４】
火災が発生すると、火災の異常高温で感熱分解部分３６が分解して感熱分解部分を構成する全ての部品が下方に飛ばされる。すると感熱分解部分３６で押圧されていた弁体３３も落下し、弁座３８が開放される。
【００３５】
弁座３８の開放で水が導水孔３７から噴出し、デフレクター３４に当たって分散される。このとき横方や下方への散布はデフレクター３４に形成された複数の羽根４３・・・によって所定巾に散布される。そして取り付け位置から前方の散布域に対しては、補助デフレクター３５とデフレクター３４の凹み４１によって制御される。
【００３６】
前述フラッシュ型のＳＷスプリンクラーヘッド、およびフレームヨーク型のＳＷスプリンクラーヘッドを壁面に取り付け、散布試験を行ったところ、図６に示すように３．６ｍ平方の散布域に均一に散布され、前方への不必要な散布がなかった。
【００３７】
【発明の効果】
以上説明したように本発明のスプリンクラーヘッドは、所定の散布域の前方に不必要に突出した散布がされず、しかも消防法に規定された散布域全域に均一に散布ができるという信頼性に優れたものである。
【図面の簡単な説明】
【図１】本発明を適用させたフラッシュ型スプリンクラーヘッドの作動時の斜視図
【図２】本発明を適用させたフラッシュ型スプリンクラーヘッドを壁面に取り付けた状態の側面断面図
【図３】フラッシュ型スプリンクラーヘッドのデフレクターの拡大斜視図
【図４】本発明を適用させたフレームヨーク型スプリンクラーヘッドを壁面に取り付けた状態の側面断面図
【図５】フレームヨーク型スプリンクラーヘッドのデフレクターの斜視図
【図６】本発明のサイドウォール型スプリンクラーヘッドにおける散布状態
【図７】従来のサイドウォール型スプリンクラーヘッドにおける散布状態
【符号の説明】
１  本体
２  フレーム
３  弁体
４  デフレクター
５  補助デフレクター
６  感熱分解部分
１２  凹み
１３  切り欠き
１４  羽根
【図１】
0003845507.tif 000002
【図２】
0003845507.tif 000003
【図３】
0003845507.tif 000004
【図４】
0003845507.tif 000005
【図５】
0003845507.tif 000006
【図６】
0003845507.tif 000007
【図７】
0003845507.tif 000008